(57)【特許請求の範囲】
【請求項１】
複数のバッテリパックを１つの電力源として電動工具本体に装着するバッテリ装置であって、
前記バッテリパックを装着するためのバッテリ装着部が並列して設けられており、
該バッテリ装着部のそれぞれに装着された該バッテリパックのそれぞれの長手方向の長さが互いに揃えられて平行配置されるように、該バッテリ装着部の配設位置が設定されており、
前記バッテリ装着部の厚みは、該バッテリ装着部に装着された前記バッテリパックの厚みよりも薄くなるように設定されていることを特徴とするバッテリ装置。
【請求項２】
請求項１に記載のバッテリ装置において、
前記バッテリパックの前記バッテリ装着部に対する装着は、該バッテリ装着部に対して該バッテリパックをスライドさせることにより装着するスライド装着となっており、
該スライド装着の方向は、該バッテリパックの長手方向に沿った方向に設定されていることを特徴とするバッテリ装置。
【請求項３】
請求項１または請求項２に記載のバッテリ装置において、
前記バッテリ装着部の周囲には、該バッテリ装着部に装着された前記バッテリパックを該バッテリ装着部から取り外す際の、バッテリパック把持用のスペースが設けられていることを特徴とするバッテリ装置。
【請求項４】
請求項３に記載のバッテリ装置において、
前記スペースは、１０〜２０ｍｍに設定されていることを特徴とするバッテリ装置。
【請求項５】
請求項１から請求項４のいずれかに記載のバッテリ装置において、
前記バッテリパックから供給される電力を受けて出力する主制御基板と、該主制御基板を内蔵する筐体部を有し、
前記筐体部は、該筐体部の外部に露出する面が前記バッテリ装着部に装着した前記バッテリパックの外部に露出する面と面一となるように形成されていることを特徴とするバッテリ装置。
【発明の詳細な説明】
【技術分野】
【０００１】
本発明は、複数のバッテリパックを１つの電力源として電動工具本体に装着するバッテリ装置に関する。
【背景技術】
【０００２】
近年、コードレスで利用できる電動工具が知られている。このような電動工具は、工具として機能する電動工具本体に、電力源となる充電式のバッテリパックが装着されて構成される。このような充電式のバッテリパックにあっては、複数種類の電動工具本体の電力源として装着できるように共通規格化されている。つまり、この充電式のバッテリパックにあっては、複数種類の電動工具本体に装着できるように共通規格化されており、ユーザは、この共通規格化された充電式のバッテリパックを複数所有している場合が多い。なお、この充電式のバッテリパックとしては、例えば供給電圧が１８Ｖに設定された１８Ｖ仕様のバッテリパックが広く普及している。
他方、電動工具には、例えば芝刈機やチェーンソーのように供給電圧が３６Ｖに設定される電動工具がある。このような電動工具には、広く普及する１８Ｖ仕様のバッテリパックを装着して利用することができない。このため、このような電動工具にあっても１８Ｖ仕様のバッテリパックを利用することができるように、３６Ｖの供給電圧に変換するバッテリ装置が知られている（下記特許文献１参照）。下記特許文献１にて開示されるバッテリ装置は、２つのバッテリパックを１つの電力源として機能するように構成されている。このように構成されたバッテリ装置によれば、１８Ｖ仕様のバッテリパックを３６Ｖ仕様のバッテリパックのように扱うことができ、共通規格化されたバッテリパックのメリットを享受できる。
【先行技術文献】
【特許文献】
【０００３】
【特許文献１】独国特許出願公開第１０２００８０４００６１号明細書
【発明の概要】
【発明が解決しようとする課題】
【０００４】
しかしながら、上記特許文献１にて開示されるバッテリ装置にあっては、バッテリ装着部を介して２つのバッテリパックを対称的に配置させて１つのバッテリパックとして機能するように構成される。このため、バッテリ装着部には、２つのバッテリパックの厚みが重なることとなり、バッテリパック重なり方向の嵩張りを大きくさせてしまう。そうすると、電動工具として扱いづらくなる。
【０００５】
本発明は、このような事情に鑑みなされたものであって、本発明が解決しようとする課題は、複数のバッテリパックを１つの電力源として電動工具本体に装着するバッテリ装置において、バッテリパックの厚み方向の重畳を避けて、バッテリ装置全体のコンパクト化を図り、もって電動工具本体に装着して電動工具として使用した場合の扱い易さを向上させることにある。
【課題を解決するための手段】
【０００６】
上記した課題を解決するにあたって本発明に係るバッテリ装置は次の手段をとる。
すなわち、本発明の第１の発明に係るバッテリ装置は、複数のバッテリパックを１つの電力源として電動工具本体に装着するバッテリ装置であって、前記バッテリパックを装着するためのバッテリ装着部が並列して設けられており、該バッテリ装着部のそれぞれに装着された該バッテリパックのそれぞれの長手方向の長さが互いに揃えられて平行配置されるように、該バッテリ装着部の配設位置が設定されていることを特徴とする。
この第１の発明に係るバッテリ装置によれば、並列して複数のバッテリパックを装着することができる。ここで、バッテリ装着部のそれぞれに装着されたバッテリパックのそれぞれの長手方向の長さは、互いに揃えられ平行配置された長さとするので、このバッテリパックの長手方向の嵩張りを必要最小限の嵩張りに抑えることができる。これによって、バッテリ装着部にバッテリパックを装着するにあたって、バッテリパックの厚み方向の重畳を避けることができて、バッテリ装置全体のコンパクト化を図ることができる。
なお、このバッテリ装置にあっては、内装される制御基板を、互いに揃えられ平行配置されたバッテリ装着部のそれぞれに装着されたバッテリパックのそれぞれの長手方向と交差する方向に配置した場合には、バッテリパックの長手方向の嵩張りを必要最小限の嵩張りに抑えたままにして、バッテリ装置全体のコンパクト化を図ることができる。
【０００７】
第２の発明に係るバッテリ装置は、前記第１の発明に係るバッテリ装置において、前記バッテリパックの前記バッテリ装着部に対する装着は、該バッテリ装着部に対して該バッテリパックをスライドさせることにより装着するスライド装着となっており、該スライド装着の方向は、該バッテリパックの長手方向に沿った方向に設定されていることを特徴とする。
この第２の発明に係るバッテリ装置によれば、バッテリパックのバッテリ装着部に対するスライド装着の方向がバッテリパックの長手方向に沿った方向に設定されているので、スライド装着のためのスライド構造をバッテリパックの長手方向に沿った領域に設けることができて、ガイドレールの長さを確保することができる。これによって、バッテリパックのバッテリ装着部に対するスライド装着を、安定的なものとすることができる。
【０００８】
第３の発明に係るバッテリ装置は、前記第１または前記第２の発明に係るバッテリ装置において、前記バッテリ装着部の厚みは、該バッテリ装着部に装着された前記バッテリパックの厚みよりも薄くなるように設定されていることを特徴とする。
この第３の発明に係るバッテリ装置によれば、バッテリ装着部の厚みは、バッテリ装着部に装着されたバッテリパックの厚みよりも薄くなるように設定されているので，バッテリパックをバッテリ装着部に装着したバッテリ装置自体の厚みを薄くすることができ、バッテリ装置全体のコンパクト化を図ることができる。
【０００９】
第４の発明に係るバッテリ装置は、前記第１から前記第３の発明のいずれかに係るバッテリ装置において、前記バッテリ装着部の周囲には、該バッテリ装着部に装着された前記バッテリパックを該バッテリ装着部から取り外す際の、バッテリパック把持用のスペースが設けられていることを特徴とする。
この第４の発明に係るバッテリ装置によれば、バッテリ装着部の周囲には、バッテリ装着部に装着されたバッテリパックをバッテリ装着部から取り外す際の、バッテリパック把持用のスペースが設けられているので、スペースに指を入れてバッテリパックを把持することができ、バッテリ装着部からバッテリパックを取り外す際の取外し操作および取外し動作を容易に行えるようにする。
【００１０】
第５の発明に係るバッテリ装置は、前記第４の発明に係るバッテリ装置において、前記スペースは、１０〜２０ｍｍに設定されていることを特徴とする。
この第５の発明に係るバッテリ装置によれば、スペースは１０〜２０ｍｍに設定されているので、バッテリ装置自体を大きくし過ぎずにスペースに指を入れる際の入れ易さを向上させて、バッテリ装着部からバッテリパックを取り外す際の取外し操作および取外し動作をさらに容易に行えるようにする。なお、この指入れスペースの１０〜２０ｍｍの幅は、ユーザの平均的な指の大きさを鑑みて、この大きさよりも僅かに大きく設定される１５ｍｍの幅を中間値としている。
【００１１】
第６の発明に係るバッテリ装置は、前記第１から前記第５の発明のいずれかに係るバッテリ装置において、前記筐体部は、該筐体部の外部に露出する面が前記バッテリ装着部に装着した前記バッテリパックの外部に露出する面と面一となるように形成されていることを特徴とする。
この第６の発明に係るバッテリ装置によれば、筐体部の外部に露出する面がバッテリ装着部に装着したバッテリパックの外部に露出する面と面一となるので、このバッテリ装置を平面に載置した場合には、筐体部の端面とバッテリパックの端面とにより面支持される。これによって、バッテリ装置を安定した状態で平面に置くことができる。
【発明の効果】
【００１２】
第１の発明に係るバッテリ装置によれば、バッテリパックを厚み方向で重ねることなく、バッテリ装置全体のコンパクト化を図ることができる。
第２の発明に係るバッテリ装置によれば、バッテリパックのバッテリ装着部に対するスライド装着を、安定的なものとすることができる。
第３の発明に係るバッテリ装置によれば、バッテリパックをバッテリ装着部に装着したバッテリ装置自体の厚みを薄くすることができ、バッテリ装置全体のコンパクト化を図ることができる。
第４の発明に係るバッテリ装置によれば、バッテリ装着部からバッテリパックを取り外す際の取外し操作および取外し動作を容易に行えるようにする。
第５の発明に係るバッテリ装置によれば、バッテリ装着部からバッテリパックを取り外す際の取外し操作および取外し動作を、さらに容易に行えるようにする。
第６の発明に係るバッテリ装置によれば、バッテリ装置を安定した状態で平面に置くことができる。
【図面の簡単な説明】
【００１３】
【図１】バッテリ装置を装着した芝刈機を示す上面視図である。
【図２】バッテリパックを取り外したバッテリ装置を示す斜視図である。
【図３】バッテリパックを取り付けたバッテリ装置を示す側面視図である。
【図４】バッテリパックを取り付けたバッテリ装置を示す上面視図である。
【図５】バッテリパックを取り付けたバッテリ装置を示す後面視図である。
【図６】バッテリパックを取り付けたバッテリ装置を示す裏面視図である。
【図７】図６のＶＩＩ−ＶＩＩ断面矢視を示すバッテリ装置の断面図である。
【図８】第２の実施の形態のバッテリ装置を示す上面視図である。
【図９】第２の実施の形態のバッテリ装置を示す後面視図である。
【図１０】第３の実施の形態のバッテリ装置を示す一部切欠き後面視図である。
【発明を実施するための形態】
【００１４】
［第１の実施の形態］
以下、本発明に係るバッテリ装置を実施するための第１の実施の形態について図１〜図７を参照しながら説明する。
図１は、バッテリ装置１０を装着した芝刈機１を示す上面視図である。この芝刈機１は、芝を刈る園芸工具として利用される電動工具である。この芝刈機１は、いわゆるコードレスにて構成される電動工具であり、充電式のバッテリが装着されて電力供給される。すなわち芝刈機１は、工具として機能する芝刈機本体２にバッテリ装置１０を装着することで駆動する。つまり、この芝刈機１は、バッテリ装置１０から供給される電力により芝刈機本体２に内蔵されるモータ（不図示）を回転駆動させ、芝刈機本体２に内蔵される切断刃（不図示）を回転させて芝を刈ることができる。なお、この芝刈機１は、芝刈機本体２内部の前後位置の両側のそれぞれに４つの車輪３が設けられており、芝生上を移動できるようになっている。なお、この芝刈機本体２は、本発明に係る電動工具本体に相当する。また、このバッテリ装置１０は、本発明に係る電動工具本体の電力源に相当する。また、この芝刈機１は、使用時の供給電力の電圧が３６Ｖに設定される電動工具となっている。
【００１５】
次に、上記した芝刈機１の芝刈機本体２に装着されるバッテリ装置１０について説明する。図２は、バッテリパック９０を取り外したバッテリ装置１０を示す斜視図である。図３は、バッテリパック９０を取り付けたバッテリ装置１０を示す側面視図である。図４は、バッテリパック９０を取り付けたバッテリ装置１０を示す上面視図である。図５は、バッテリパック９０を取り付けたバッテリ装置１０を示す後面視図である。図６は、バッテリパック９０を取り付けたバッテリ装置１０を示す裏面視図である。図７は、図６のＶＩＩ−ＶＩＩ断面矢視を示すバッテリ装置１０の断面図である。なお、説明の便宜上、図示にも規定しているとおり、芝刈機本体２（電動工具本体）に向けてスライド装着させる方向をバッテリ装置１０の前側と規定し、バッテリパック９０の装着側をバッテリ装置１０の上側と規定している。
図２〜図６に示すバッテリ装置１０は、上記したように芝刈機本体２（電動工具本体）に装着されるものであり、図４等に示す複数となる２つのバッテリパック９０，９０を１つの芝刈機本体２の電力源として機能させるように構成される。このバッテリ装置１０には、供給電力の電圧が１８Ｖに設定されるバッテリパック９０，９０の２つを装着可能に構成される。このように装着された２つの１８Ｖの電圧のバッテリパック９０，９０は、３６Ｖの電圧に変換（直列接続）して芝刈機本体２（電動工具本体）に出力する。このため、バッテリ装置１０は、図２に示すように、その上面側に、２つのバッテリパック９０，９０を装着するためのバッテリ装着部２０，２０が２つ並列して設けられている。また、バッテリ装置１０は、図６に示すように、その裏面側に、芝刈機本体２（電動工具本体）の装着部５に装着するための１つの本体装着部４０が設けられている。また、バッテリ装置１０は、主制御基板を内蔵する筐体部６０が設けられている。すなわちバッテリ装置１０は、概略、ケース１１に対して、バッテリ装着部２０と、本体装着部４０と、筐体部６０とが設けられることにより構成される。
【００１６】
ケース１１は、プラスチック樹脂の成形品であり、図２および図３に示すようにケース本体１１１と蓋体部１１２とを合体させることにより形成される。このケース１１は、図２および図３に示すように側面視でＬ字形をなして幅方向に延在した内部中空構造により形成される。このケース１１の内部には各種電気配線および各種制御基板が内蔵される。
ケース１１は、図２および図３に示すように、前後方向後端から前後方向中間部にかけてバッテリ装着部２０，２０が左右並列して形成され、前後方向前端部には筐体部６０が左右延在して形成されている。具体的には、このケース１１のうちバッテリ装着部２０，２０が設けられる範囲にあっては、上下方向の高さを適宜に有した中空構造にて形成されて前後左右方向に延在している。なおバッテリパック９０，９０は、バッテリ装着部２０，２０に対してスライド装着した場合、バッテリ装着部２０，２０の上側に配置されるようになっている。これに対して、ケース１１のうち筐体部６０が設けられる範囲にあっては、このバッテリ装着部２０，２０が設けられる範囲に比して上側に突き出した中空構造にて形成されて左右方向に延在している。このため、筐体部６０は、２つのバッテリ装着部２０，２０が並列する面方向に対して交差方向となる上側に突き出すように延在する。なお、このケース１１には、バッテリ装着部２０が設けられる側とは反対側に、後に説明する本体装着部４０が設けられる。
【００１７】
ところで、このバッテリ装着部２０の上側には、このバッテリ装着部２０にスライド装着されたバッテリパック９０が配置される。ここで筐体部６０の上端面６０１は、バッテリ装着部２０にスライド装着されたバッテリパック９０の上端面９０１と面一となっている。つまり、筐体部６０の上側に向いた配設領域は、バッテリ装着部２０に装着されたバッテリパック９０の大きさを鑑みて設定されている。また、筐体部６０は、このように上側に突き出した形状で、バッテリ装置１０の左右方向に延びる幅領域いっぱいまで延在している。このようにしてバッテリ装着部２０と筐体部６０とは、図３に示すように筐体部６０の左右延在方向となる方向で視た側面視でＬ字形をなすように、互いの配置位置が設定されている。言い換えれば、バッテリ装置１０は、装着されたバッテリパック９０を囲うかのようなＬ字形状（辺を２つ有する構造）に一体化したバッテリ装着部２０および筐体部６０を配設して構成される。また、このバッテリ装着部２０の上下の厚みは、このバッテリ装着部２０に装着されたバッテリパック９０の厚みよりも薄くなるように設定されている。この筐体部６０には、図７に示すように、バッテリ装着部２０に装着されたバッテリパック９０と電気的に接続される主制御基板６２が内装されている。この主制御基板６２は、バッテリ装着部２０，２０に装着されたバッテリパック９０，９０から供給される電力を受けて芝刈機本体２（電動工具本体）に出力するにあたり、この供給される電力電圧から出力する電力電圧を変圧する機能等を有している。
【００１８】
次に、バッテリ装着部２０の構造について説明する。
このバッテリ装着部２０，２０は、互いに並列するようにケース１１に配設されている。具体的には、バッテリ装着部２０，２０は、バッテリパック９０の長手方向に沿ってバッテリパック９０をスライドさせることにより、バッテリパック９０をスライド装着できるように構成される。このため、バッテリ装着部２０，２０は、バッテリパック９０の長手方向に沿ったスライド装着方向に沿って、互いに平行配置された関係にある。つまり、バッテリ装着部２０，２０のそれぞれに装着されたバッテリパック９０，９０のそれぞれの長手方向の長さは、互いに揃えられて平行配置されることとなる。
バッテリ装着部２０は、上記したバッテリパック９０を装着可能に構成されるものであり、従前より汎用されるバッテリパック９０の装着構造を有して構成される。すなわち、図２に示すように、バッテリ装着部２０は、バッテリパック９０の装着構造に対応したスライド構造２１および電気接続構造３１を備える。スライド構造２１は、バッテリパック９０のスライド装着をガイドする構造を有する。スライド構造２１は、バッテリパック９０に設けられた不図示のガイド雄形部をスライド移動可能に嵌め込むガイドレール部２３を備える。ガイドレール部２３，２３は、バッテリ装着部２０の左右両側のそれぞれの部分に前後方向に延在するようにして形成されている。このガイドレール部２３，２３は、バッテリパック９０に設けられた雄形装着構造に対応する雌形形状を有して形成される。このようにしてバッテリパック９０は、ガイドレール部２３，２３にガイドされながら図示後ろ側から図示前側にスライドさせ、バッテリ装着部２０に装着されることとなる。
【００１９】
このようにして、スライド構造２１は、バッテリパック９０の前側から後ろ側に向けたスライド移動をガイドするように機能し、このバッテリ装着部２０にバッテリパック９０をスライド装着することができる。また、電気接続構造３１は、このスライド装着により、バッテリパック９０をバッテリ装着部２０に電気的に接続する構造を有する。電気接続構造３１は、プラス用接続端子３３と、マイナス用接続端子３５と、制御用接続端子３７とを備える。プラス用接続端子３３は、バッテリパック９０に設けられた雌形のプラス端子（不図示）と接続可能な雄形に形成される。同様にマイナス用接続端子３５も、バッテリパック９０に設けられた雌形のマイナス端子（不図示）と接続可能な雄形に形成され、制御用接続端子３７も、バッテリパック９０に設けられた雌形の制御端子（不図示）と接続可能な雄形に形成される。このようにして、電気接続構造３１は、バッテリパック９０のスライド装着によってバッテリパック９０をバッテリ装置１０に電気的に接続した装着状態とすることができる。
ここで、バッテリ装着部２０の周囲となるバッテリ装着部２０の前側部位には、バッテリパック９０を把持するための指入れスペースＳ１が設けられている。この指入れスペースＳ１は、主としてバッテリ装着部２０に装着されたバッテリパック９０をバッテリ装着部２０から取り外す際に、ユーザの指を入れることのできるようにするスペースである。具体的には、バッテリパック９０をバッテリ装着部２０に装着した状態で、筐体部６０とバッテリパック９０との間に１０〜２０ｍｍの指入れスペースＳ１（隙間）ができるように、筐体部６０とバッテリ装着部２０との配置関係が設定されている。なお、この指入れスペースＳ１の具体的な幅としては、ユーザの平均的な指の大きさを鑑みて、この大きさよりも僅かに大きく設定される１５ｍｍの幅に設定されている。また、このようにバッテリパック９０のスライド取外し方向に、バッテリパック９０を押し出せるように指入れスペースＳ１（隙間）が設けられていると、バッテリパック９０のスライド取外しが、し易くなる。また、指入れスペースＳ１は、バッテリパック９０の係合解除操作部９５とは反対側に位置しているので、バッテリパック９０の解除操作が行い易いものとすることができて、有利に係合解除操作部９５の解除操作を行うことができる。
【００２０】
次に、本体装着部４０の構造について説明する。本体装着部４０は、芝刈機本体２（電動工具本体）の装着部５（図１参照）にスライド装着する構造を有しており、従前より汎用されるバッテリパック９０の装着構造と略同様に構成される。すなわち、本体装着部４０は、バッテリ装置１０の裏面側に設けられるものであり、スライド装着のガイド構造およびスライド装着による電気接続構造を含む装着構造４１と、装着部５に対する装着構造４１の着脱状態を切り替える係合構造５１とを備える。この本体装着部４０のスライド装着のガイド構造は、芝刈機本体２の装着部５に設けられたガイドレール部（不図示）にスライド移動可能に嵌め込むガイド雄形部４２により構成される。このガイド雄形部４２は、本体装着部４０の左右両側のそれぞれの部分に前後方向に延在するようにして形成されている。また、本体装着部４０のスライド装着による電気接続構造は、プラス端子４３と、マイナス端子４５と、制御端子４７とを備える。プラス端子４３は、芝刈機本体２の装着部５に設けられた雄形のプラス用接続端子（不図示）と接続可能な雌形に形成される。また、マイナス端子４５も、芝刈機本体２の装着部５に設けられた雄形のマイナス用接続端子（不図示）と接続可能な雌形に形成され、制御端子４７も、芝刈機本体２の装着部５に設けられた雄形の制御用接続端子（不図示）と接続可能な雌形に形成される。
【００２１】
係合構造５１は、装着部５に対する装着構造４１の着脱状態を切り替える雄フック機構にて構成される。すなわち図７に示すように、本体装着部４０の係合構造５１は、雄フック部材５２と、付勢ばね５９とを備え、スライド装着した状態の芝刈機本体２と係合する構造にて構成される。
雄フック部材５２は、ケース１１に対して相対的に上下移動できる部材であり、付勢ばね５９の付勢力により外側となる下側に向けて常時付勢されている。この雄フック部材５２は、雄フック部５３と、係合解除操作部５５と、操作ガイド孔５７とが一体成形されることにより構成される。雄フック部５３は、雄フック部材５２の外側端（下端）部分を構成し、芝刈機本体２の装着部５に設けられた雌フック部（不図示）に雌雄係合するものであり、適宜のフック形状を有して形成される。なお、この雄フック部５３は、バッテリパック９０と同様、雌雄係合状態の際に面当接して係合を支持するストッパ形状５３１と、雌雄係合する際の雄フック部材５２の内側移動をガイドする傾斜形状５３２とが設けられている。係合解除操作部５５は、雄フック部材５２の後端部分にて外部に露出するように形成される。この係合解除操作部５５は、上記した雄フック部５３の突出方向と交差方向後ろ側に外部に露出するように設けられている。つまり、この係合解除操作部５５は、芝刈機本体２の装着部５に設けられた雌フック部（不図示）に対する雄フック部５３の雌雄係合を解除する際に操作する部分である。この係合解除操作部５５には、ユーザの指により押圧することができるように、外形が窪んだ形状にて形成されており、中心部分が押圧操作面部５６として設定されている。
【００２２】
押圧操作面部５６は、スライド装着した状態の芝刈機本体２の装着部５との係合を解除操作する際に押出し操作を行う部分である。この押圧操作面部５６は、平面形状にて形成されているが、バッテリパック９０の係合解除操作部９５に設けられる押圧操作面部９６とは相違する配設設定となっている。すなわち、押圧操作面部５６は、芝刈機本体２の装着部５にスライド装着する際のスライド装着方向に沿って延びる面状を有して形成されている。この押圧操作面部５６は、雄フック部５３の突出し方向に対して直交する方向に沿って延びる面状を有して形成されている。具体的には、この押圧操作面部５６の平面形状は、雄フック部５３の上下移動と直交する方向に延びるように形成されている。つまり、解除操作するための押圧操作面部５６を押圧する方向と、この押圧操作面部５６の面が延在する方向とは、互いに直交する。言い換えれば、このバッテリ装置１０が水平位置、すなわちバッテリ装着部２０に対するバッテリパック９０のスライド装着の方向が水平方向となる場合に、上記した係合解除操作部５５に設けられる押圧操作面部５６は、このスライド装着の方向と一致する水平方向に延びるように形成される。また、この押圧操作面部５６は、スライド装着方向となる図示前後方向の長さが、このスライド装着方向と直交する図示左右方向の長さよりも長くなっている。このため、押圧操作面部５６の平面形状は、略長方形の形状となっている。ちなみに、バッテリパック９０の係合解除操作部９５に設けられる押圧操作面部９６の平面形状は、バッテリ装置１０のスライド装着方向（前後方向）に対して傾斜方向に延びるように形成されている。
【００２３】
係合解除操作部５５の解除操作方向は、ケース１１の内側方向となるバッテリ装置１０の上側方向に設定されている。すなわち、後に説明する付勢ばね５９の付勢に抗して係合解除操作部５５をバッテリ装置１０の上側に押圧して解除操作を行うと、雄フック部５３の外部突出しをバッテリ装置１０の内側に退避させるようにし、芝刈機本体２の装着部５に設けられる雌フック部（不図示）に対する雄フック部５３の雌雄係合を外すこととなる。また、操作ガイド孔５７は、このような雄フック部５３の外部突出し及び内部退避の上下移動をガイドする機能を有する。すなわち、操作ガイド孔５７は、雄フック部５３と係合解除操作部５５との間に設けられ、ケース１１内部に該ケース１１と一体化して設けられた円柱状ガイド部５８が挿し込まれる。ここで操作ガイド孔５７は、この操作ガイド孔５７の挿し込まれる円柱状ガイド部５８とともに、バッテリ装置１０の上下方向に延びるようにして形成される。このようにして、後に説明する付勢ばね５９の付勢力に抗して係合解除操作部５５をバッテリ装置１０の上側に押圧する（解除操作をする）と、この押圧により雄フック部５３の外部突出しをバッテリ装置１０の内部に退避させる。この際、操作ガイド孔５７は、挿し込まれた円柱状ガイド部５８に沿って移動する。これによって、雄フック部材５２の突出退避する動きはガイドされることとなる。付勢ばね５９は、一端側がケース１１に当接し且つ他端側が雄フック部材５２に当接した圧縮コイルばねにて形成される。このため、付勢ばね５９は、雄フック部材５２を、外側となる下側に向けて常時付勢する。
【００２４】
また、このバッテリ装置１０の上面側の前面部分には、本体装着部４０による芝刈機本体２に対しての装着をガイドするための装着用目印部６５が設けられている。この装着用目印部６５は、本発明に係る電動工具本体に対しての装着をガイドするための表示部に相当する。この装着用目印部６５は、上記した芝刈機本体２にバッテリ装置１０をスライド装着させるにあたって、このバッテリ装置１０のスライド装着を容易に行えるようにする目印として機能する。すなわち、装着用目印部６５は、バッテリ装置１０のうち本体装着部４０が設けられる裏面側とは反対側の上面側に設けられている。また、この装着用目印部６５は、バッテリ装置１０のスライド装着方向の前面側に設けられている。具体的には、図２および図４に示すように、筐体部６０の上面部分には、一段上に張り出した形状となる装着用目印部６５が設けられている。この装着用目印部６５は、図１に示す電動工具本体としての芝刈機本体２に設けられた目印部５ａ，５ｂに対応するように設けられている。具体的には、この装着用目印部６５は、芝刈機本体２に対するスライド構造２１によるスライド装着をガイドする２つの端縁６５１，６５２を有して形成される。また、装着用目印部６５の両端縁６５１，６５２が、芝刈機本体２の目印部５ａ，５ｂに沿って位置するように、装着用目印部６５は形成されている。この装着用目印部６５の端縁６５１，６５２は、本発明に係る表示ラインに相当し、芝刈機本体２にスライド装着されるバッテリパック９０の幅を表すように配置されている。なお、この装着用目印部６５の両端縁６５１，６５２と芝刈機本体２の目印部５ａ，５ｂとは、バッテリ装置１０のスライド装着方向（図示前後方向）に沿ったライン状に延びるように形成されている。これによって、バッテリ装置１０を芝刈機本体２の装着部５に装着するにあたっては、装着用目印部６５の両端縁６５１，６５２と芝刈機本体２の目印部５ａ，５ｂとを同一ライン上に位置させるように、バッテリ装置１０を配置させてスライド装着すれば、バッテリ装置１０の裏面側を見ることなくバッテリ装置１０を芝刈機本体２の装着部５に装着することができる。
【００２５】
また、このバッテリ装置１０のケース１１には、第１排水孔２８および第２排水孔６８が設けられている。この第１排水孔２８および第２排水孔６８は、ケース１１の内部に浸入した水を排水するためのものであり、ケース１１の内部の排水性を高めるためのものである。なお、この第１排水孔２８および第２排水孔６８は、バッテリ装置１０において重力方向下側に配置されるようにバッテリ装置１０を置いた場合の排水性を高めるものである。つまり、バッテリパック９０を装着したこのバッテリ装置１０を、例えば図５や図７の図示上下を逆転させて平面に載置した場合に、ケース１１の内部に浸入した水を第１排水孔２８および第２排水孔６８を通じてケース１１の外部に排水する。
第１排水孔２８は、図７に示すように、バッテリ装置１０の後側の上部分に、ケース１１の内外を連通するようにケース１１を貫通させて設けられている。詳しく言えば、第１排水孔２８は、係合構造５１の雄フック部材５２の上側に位置するように、ケース１１の内外を連通するように設けられている。つまり、バッテリ装置１０を図示上下逆転させて平面に載置した場合には、第１排水孔２８は、係合構造５１の雄フック部材５２の下側に位置する。これによって、バッテリ装置１０を図示上下逆転させて平面に載置した場合に、この雄フック部材５２が設けられる部位からケース１１の内部に浸入した水を、この第１排水孔２８を通じてケース１１の外部に排水させることができる。
また、第２排水孔６８は、図７に示すように、バッテリ装置１０の前側の上部分に、ケース１１の内外を連通するようにケース１１を貫通させて設けられている。詳しく言えば、第２排水孔６８は、主制御基板６２の上側に位置するように、ケース１１の内外を連通するように設けられている。つまり、バッテリ装置１０を図示上下逆転させて平面に載置した場合には、第２排水孔６８は、筐体部６０の最下部に位置する。これによって、バッテリ装置１０を図示上下逆転させて平面に載置した場合に、ケース１１の外部からケース１１の内部に浸入した水を、この第２排水孔２８を通じてケース１１の外部に排水させることができ、この主制御基板６２近くに水を貯めてしまうことを防止することができる。
【００２６】
第１の実施の形態のバッテリ装置１０によれば、次のような作用効果を奏する。
すなわち、上記したバッテリ装置１０によれば、並列して２つのバッテリパック９０，９０を装着することができる。ここで、バッテリ装着部２０，２０のそれぞれに装着されたバッテリパック９０，９０のそれぞれの長手方向の長さは、互いに揃えられ平行配置された長さとするので、このバッテリパック９０，９０の長手方向の嵩張りを必要最小限の嵩張りに抑えることができる。これによって、バッテリ装着部２０，２０にバッテリパック９０，９０を装着するにあたって、バッテリパック９０，９０の厚み方向の重畳を避けることができて、バッテリ装置全体のコンパクト化を図ることができる。
また、このバッテリ装置１０にあっては、内装される主制御基板６２は、互いに揃えられ平行配置されたバッテリ装着部２０，２０のそれぞれに装着されたバッテリパック９０，９０のそれぞれの長手方向と交差する方向に配置しているので、バッテリパック９０，９０の長手方向の嵩張りを必要最小限の嵩張りに抑えたままにして、バッテリ装置１０全体のコンパクト化を図ることができる。
また、上記したバッテリ装置１０によれば、バッテリパック９０，９０のバッテリ装着部２０，２０に対するスライド装着の方向がバッテリパック９０，９０の長手方向に沿った方向に設定されているので、スライド装着のためのスライド構造２１をバッテリパック９０，９０の長手方向に沿った領域に設けることができて、ガイドレール部２３の長さを確保することができる。これによって、バッテリパック９０，９０のバッテリ装着部２０，２０に対するスライド装着を、安定的なものとすることができる。
【００２７】
また、上記したバッテリ装置１０によれば、バッテリ装着部２０の厚みは、バッテリ装着部２０に装着されたバッテリパック９０の厚みよりも薄くなるように設定されているので，バッテリパック９０をバッテリ装着部２０に装着したバッテリ装置１０自体の厚みを薄くすることができ、バッテリ装置１０全体のコンパクト化を図ることができる。また、上記したバッテリ装置１０によれば、装着状態となるバッテリパック９０と筐体部６０との間には、バッテリ装着部２０に装着されたバッテリパック９０をバッテリ装着部２０から取り外す際の、バッテリパック９０を把持するための指入れスペースＳ１が１０〜２０ｍｍに設定されて設けられているので、指入れスペースＳ１に容易に指を入れてバッテリパック９０を容易に把持することができ、バッテリ装着部２０からバッテリパック９０を取り外す際の取外し操作および取外し動作を容易に行えるようにする。また、上記したバッテリ装置１０によれば、筐体部６０の外部に露出する上端面６０１がバッテリ装着部２０に装着したバッテリパック９０の外部に露出する上端面９０１と面一となるので、これらのバッテリ装置１０の上端面６０１，９０１を平面に面するように載置した場合には、これら筐体部６０の上端面６０１とバッテリパック９０の上端面９０１とにより面支持される。これによって、バッテリ装置１０を安定した状態で平面に置くことができる。
【００２８】
［第２の実施の形態］
次に、上記した第１の実施の形態のバッテリ装置１０とは相違する第２の実施の形態のバッテリ装置１０Ａについて、図８および図９を参照しながら説明する。図８は、第２の実施の形態のバッテリ装置１０Ａを示す上面視図である。図９は、第２の実施の形態のバッテリ装置１０Ａを示す後面視図である。なお、図８は、第１の実施の形態の図４に対応する第２の実施の形態の図であり、図９は、第１の実施の形態の図５に対応する第２の実施の形態の図である。
この第２の実施の形態のバッテリ装置１０Ａは、第１の実施の形態のバッテリ装置１０と比較して、並列配置されるバッテリ装着部２０，２０同士の左右幅方向の間隔を拡げた点のみが相違する。このため、この第２の実施の形態のバッテリ装置１０Ａは、この拡げられたバッテリ装着部２０，２０同士の左右幅方向の間隔について説明するものとし、上記した第１の実施の形態と同一あるいは略同一に構成される部分については、上記した第１の実施の形態にて説明した各部の符号と同一の符号を図８および図９に付して説明を省略する。
すなわち、バッテリ装着部２０，２０に装着したバッテリパック９０，９０同士の間には、バッテリパック９０を把持するための指入れスペースＳ２が設けられている。この指入れスペースＳ２は、主としてバッテリ装着部２０にバッテリパック９０をスライド装着する際に、ユーザの指を入れることのできるようにするスペースである。具体的には、バッテリパック９０をバッテリ装着部２０に装着する際に、隣接するバッテリパック９０との間に１０〜２０ｍｍの指入れスペースＳ２（隙間）ができるように、バッテリ装着部２０，２０同士の配置関係が設定されている。このように、スライド装着方向に沿ったバッテリパック９０の側面部分に指が入れることができると、ユーザはバッテリパック９０が把持し易くなる。これによって、バッテリ装置１０へのバッテリパック９０のスライド装着、あるいはバッテリ装置１０からのバッテリパック９０の取外しを、ユーザは容易に行えるようになる。
【００２９】
［第３の実施の形態］
次に、上記した第２の実施の形態のバッテリ装置１０Ａとは相違する第３の実施の形態のバッテリ装置１０Ｂについて、図１０を参照しながら説明する。図１０は、第３の実施の形態のバッテリ装置１０Ｂを示す一部切欠き後面視図である。なお、図１０は、上記した実施の形態の図５および図９に対応する第３の実施の形態の図である。
この第３の実施の形態のバッテリ装置１０Ｂは、第２の実施の形態のバッテリ装置１０Ａと比較して、並列配置されるバッテリ装着部２０，２０同士の左右幅方向の間隔に新たに介装形筐体部７０を設けた点のみが相違する。このため、この第３の実施の形態のバッテリ装置１０Ｂは、この新たに設けられた介装形筐体部７０について説明するものとし、上記した第１の実施の形態と同一あるいは略同一に構成される部分については、上記した第１の実施の形態にて説明した各部の符号と同一の符号を図８および図９に付して説明を省略する。
すなわち、バッテリ装着部２０，２０に装着したバッテリパック９０，９０同士の間には、スペースＳ３が設けられている。このスペースＳ３には、介装形筐体部７０が配設されている。この介装形筐体部７０は、バッテリ装置１０Ｂの前端側に設けられる筐体部６０の内部と通じつつ、バッテリ装置１０Ｂの下側に設けられるバッテリ装着部２０，２０の内部と通じるように、ケース１１に設けられている。この介装形筐体部７０の内部には、制御基板７２が内装されている。このように、バッテリ装着部２０，２０に装着したバッテリパック９０，９０同士の間に介装形筐体部７０が新たに設けられると、制御基板の内装するスペースを確保するのに有利となる。
【００３０】
なお、本発明に係るバッテリ装置にあっては、上記した実施の形態に限定されるものではなく、次のように適宜個所を変更して構成するようにしてもよい。
例えば、本発明に係るバッテリパックのバッテリ装着部に対する装着としては、上記したスライド装着に限定されることなく、例えばバッテリパックとバッテリ装着部との間に適宜に嵌合構造を設けて、バッテリ装着部に対してバッテリパックを装着可能に構成するものであってもよい。つまり、バッテリ装置全体のコンパクト化を図る構成は、バッテリパックの配置構成によるものであり、バッテリ装着部に対してバッテリパックを装着させる構成としては適宜の構成を選択することができる。
また、上記した実施の形態における主制御基板６２は、１８Ｖ仕様のバッテリパック９０から供給される電力電圧を、３６Ｖの供給電圧で芝刈機本体２に出力するように制御するものであった。しかしながら、本発明に係る制御基板としては、これに限定されることなく、バッテリ装置に適宜に設けられる例えば表示装置等の制御を行うものも含まれる。つまり、本発明に係るバッテリ装置は、上記した電力を出力するにあたり供給される電力電圧を変圧する主制御基板のほか、適宜の装置制御を行う副制御基板が新たに設けられて構成されるものであってもよい。
また、上記した実施の形態においては、筐体部の外部に露出する面がバッテリ装着部に装着したバッテリパックの外部に露出する面と面一となる例として、筐体部６０の上端面６０１とバッテリ装着部２０にスライド装着されたバッテリパック９０の上端面９０１とが面一となる例を挙げた。しかしながら、図中にて付した筐体部６０の側端面６０２と、図中にて付したバッテリパック９０の側端面９０２とが面一となるように形成した場合には、上記したバッテリ装置１０の側端面６０２，９０２を平面に面するように載置した場合に面支持可能となり、バッテリ装置１０を安定した状態で平面に置くことができる。
また、上記した実施の形態における電動工具として、芝を刈る園芸工具として利用される芝刈機１を例示した。しかしながら、本発明に係る電動工具としては、これに限定されることなく、例えば充電式バッテリ駆動型のチェーンソーのように、充電式のバッテリによって駆動する適宜の電動工具で構成されるものであってもよい。
【符号の説明】
【００３１】
１  芝刈機（電動工具）
２  芝刈機本体（電動工具本体）
３  車輪
５  装着部
５ａ，５ｂ  目印部
１０，１０Ａ，１０Ｂ  バッテリ装置
１１  ケース
１１１  ケース本体
１１２  蓋体部
２０  バッテリ装着部
２１  スライド構造
２３  ガイドレール部
２８  第１排水孔
３１  電気接続構造
３３  プラス用接続端子
３５  マイナス用接続端子
３７  制御用接続端子
４０  本体装着部
４１  装着構造
４２  ガイド雄形部
４３  プラス端子
４５  マイナス端子
４７  制御端子
５１  係合構造
５２  雄フック部材
５３  雄フック部
５３１  ストッパ形状
５３２  傾斜形状
５５  係合解除操作部
５６  押圧操作面部
５７  操作ガイド孔
５８  円柱状ガイド部
５９  付勢ばね
６０  筐体部
６０１  筐体部の上端面
６０２  筐体部の側端面
６２  主制御基板
６５  装着用目印部
６５１，６５２  端縁
６８  第２排水孔
７０  介装形筐体部
７２  制御基板
９０  バッテリパック
９０１  バッテリパックの上端面
９０２  バッテリパックの側端面
９５  係合解除操作部
９６  押圧操作面部
Ｓ１  指入れスペース
Ｓ２  指入れスペース
Ｓ３  スペース
【図１】
0005697553.tif 000002
【図２】
0005697553.tif 000003
【図３】
0005697553.tif 000004
【図４】
0005697553.tif 000005
【図５】
0005697553.tif 000006
【図６】
0005697553.tif 000007
【図７】
0005697553.tif 000008
【図８】
0005697553.tif 000009
【図９】
0005697553.tif 000010
【図１０】
0005697553.tif 000011